(57)【要約】【課題】堅牢で、園芸用資材の取り付けが容易な上、作物を栽培し易い園芸用トンネル支柱を提供する。【解決手段】半円状の屋根部５と、屋根部５の両端５ｂ、５ｃから垂下する横架材取付部１０と、屋根部５の両端５ｂ、５ｃを連結して補強する連結補強部２０と、屋根部５の中央５ａから連結補強部２０を貫通して鉛直下方に伸びる支柱部２５とを備えている。屋根部５の中央部、及び横架材取付部１０には、隣接する屋根部５、及び横架材取付部１０を並列して接続する横架材を取り付け可能な横架材取付孔１０ｄ、１０ｅ、１０ｆが設けられている。【選択図】図１
0003215966.tif 000002
【実用新案登録請求の範囲】
【請求項１】
複数個が並列して用いられ、上部が半円状の園芸用トンネル支柱において、
半円状の屋根部と、該屋根部の両端から垂下する横架材取付部と、該屋根部の両端を連結して補強する連結補強部と、該屋根部の中央から該連結補強部を貫通して鉛直下方に伸びる支柱部と、を備え
該屋根部の中央部、及び該横架材取付部には、隣接する該屋根部、及び該横架材取付部を並列して接続する横架材を取り付け可能な横架材取付孔が設けられていることを特徴とする園芸用トンネル支柱。
【請求項２】
前記連結補強部の中央部には、隣接する該連結補強部を並列して接続する横架材を取り付け可能な横架材取付孔が設けられていることを特徴とする請求項１記載の園芸用トンネル支柱。
【請求項３】
前記屋根部、前記横架材取付部、及び前記連結補強部は板状であり、前記支柱部は凹凸の表面を有する棒状であることを特徴とする請求項１又は２記載の園芸用トンネル支柱。
【請求項４】
前記横架材取付部は、前記屋根部の両端から垂下し、前記横架材取付孔が設けられた垂下部であることを特徴とする請求項１乃至３のいずれか１項記載の園芸用トンネル支柱。
【請求項５】
前記横架材取付部は、前記屋根部の両端から垂下し、前記横架材取付孔が設けられた垂下部と、該垂下部の一端から前記支柱部方向に突設され、前記横架材が載置される載置部と、からなることを特徴とする請求項１乃至３のいずれか１項記載の園芸用トンネル支柱。
【請求項６】
前記横架材取付部は、前記屋根部の両端から垂下し、前記横架材取付孔が設けられた垂下部と、該垂下部の一端から前記支柱部方向に突設され、前記横架材が載置される載置部と、該載置部の一端から該垂下部と平行に上方に突設され、該垂下部とともに該横架材を挟持する挟持部と、からなることを特徴とする請求項１乃至３のいずれか１項記載の園芸用トンネル支柱。
【請求項７】
前記屋根部と前記支柱部とは着脱可能であることを特徴とする請求項１乃至６のいずれか１項記載の園芸用トンネル支柱。
【請求項８】
前記屋根部、前記横架材取付部、及び前記連結補強部は鋼製であり、前記横架材は木製であり、該屋根部の幅方向長さは６００ｍｍ以上、１２００ｍｍ以下であることを特徴とする請求項１乃至７のいずれか１項記載の園芸用トンネル支柱。
【考案の詳細な説明】
【技術分野】
【０００１】
本考案は、複数個が並列して用いられ、上部が半円状の園芸用トンネル支柱に関する。
【背景技術】
【０００２】
従来、複数個が並列して用いられ、上部が半円状の園芸用トンネル支柱として、図６に示すものが知られている。この園芸用トンネル支柱９０は、一般に樹脂製で、半円状の屋根部９１と、その両端から略平行に伸びる２本の脚部９２とからなっている。そして、通常、畝９５を跨いで２本の脚部９２を地中に差し込むことにより、園芸用トンネル支柱９０が固定される。同様にして、複数本の園芸用トンネル支柱９０を畝９５に沿って並列に設け、図６に示す園芸用トンネルが完成する。そして、この園芸用トンネルにビニール等の被覆資材を覆い、作物の栽培に適したものができあがる。
【０００３】
しかし、この園芸用トンネル支柱９０を用いた園芸用トンネルでは、園芸用トンネル支柱９０の強度に問題がある。すなわち、園芸用トンネル支柱９０に垂直方向（屋根部９１と２つの脚部９２を含む面に垂直方向をいう。以下、本明細書において同じ。）の力Ａが加わると傾いたり倒れたりし易く、園芸用トンネル支柱９０に平行方向（屋根部９１と２つの脚部９２を含む面に平行方向をいう。以下、本明細書において同じ。）の力Ｂが加わると脚部９２が土から抜けたり変形したりし易い。そして、園芸用トンネル支柱９０がこのような状態になると、園芸用トンネル支柱９０の間のビニール等の被覆資材が緩み易く、被覆資材が緩んでしまった場合、これを直すのは面倒な作業である。また、作物の栽培に際し、脚部９２が邪魔になったり、被覆資材の取り付け、取り外しが必要となり、面倒である。
【０００４】
これに対し、特許文献１の園芸用トンネル支柱を用いた園芸用トンネルが提案されている。特許文献１の園芸用トンネルは、畝に沿って並列に園芸用トンネル支柱群を設立し、園芸用トンネル支柱群に連結された被覆資材を備え、この園芸用トンネル支柱群を畝方向に移動可能にしたものである。この園芸用トンネルによれば、園芸用トンネル支柱群を開閉することにより被覆資材の開閉が可能であるため、保温、遮光、防虫等の作物の栽培環境を容易に調整することができ、作物の栽培がし易くなる。また、被覆資材が園芸用トンネル支柱群に連結されているため、被覆資材が緩み難い。
【先行技術文献】
【特許文献】
【０００５】
【特許文献１】特開２０１２−１４３１６５号公報
【考案の概要】
【考案が解決しようとする課題】
【０００６】
しかし、上記従来の園芸用トンネル支柱を用いた園芸用トンネルでは、園芸用トンネル支柱自体に加わる力に対しての対策は十分でない。また、園芸用トンネル支柱群を開閉するための設備が必要となり、高価となる上、融通性に乏しい。
【０００７】
本考案はかかる従来の問題点に鑑みてなされたものであり、堅牢で、園芸用資材の取り付けが容易な上、作物を栽培し易い園芸用トンネル支柱を提供するものである。
【課題を解決するための手段】
【０００８】
上記の課題を解決するために、請求項１に係る園芸用トンネル支柱の特徴は、複数個が並列して用いられ、上部が半円状の園芸用トンネル支柱において、半円状の屋根部と、該屋根部の両端から垂下する横架材取付部と、該屋根部の両端を連結して補強する連結補強部と、該屋根部の中央から該連結補強部を貫通して鉛直下方に伸びる支柱部と、を備え該屋根部の中央部、及び該横架材取付部には、隣接する該屋根部、及び該横架材取付部を並列して接続する横架材を取り付け可能な横架材取付孔が設けられていることである。
【０００９】
請求項２に係る園芸用トンネル支柱の特徴は、前記連結補強部の中央部には、隣接する該連結補強部を並列して接続する横架材を取り付け可能な横架材取付孔が設けられていることである。
【００１０】
請求項３に係る園芸用トンネル支柱の特徴は、前記屋根部、前記横架材取付部、及び前記連結補強部は板状であり、前記支柱部は凹凸の表面を有する棒状であることである。
【００１１】
請求項４に係る園芸用トンネル支柱の特徴は、前記横架材取付部は、前記屋根部の両端から垂下し、前記横架材取付孔が設けられた垂下部であることである。
【００１２】
請求項５に係る園芸用トンネル支柱の特徴は、前記横架材取付部は、前記屋根部の両端から垂下し、前記横架材取付孔が設けられた垂下部と、該垂下部の一端から前記支柱部方向に突設され、前記横架材が載置される載置部と、からなることである。
【００１３】
請求項６に係る園芸用トンネル支柱の特徴は、前記横架材取付部は、前記屋根部の両端から垂下し、前記横架材取付孔が設けられた垂下部と、該垂下部の一端から前記支柱部方向に突設され、前記横架材が載置される載置部と、該載置部の一端から該垂下部と平行に上方に突設され、該垂下部とともに該横架材を挟持する挟持部と、からなることである。
【００１４】
請求項７に係る園芸用トンネル支柱の特徴は、前記屋根部と前記支柱部とは着脱可能であることを特徴とすることである。
【００１５】
請求項８に係る園芸用トンネル支柱の特徴は、前記屋根部、前記横架材取付部、及び前記連結補強部は鋼製であり、前記横架材は木製であり、該屋根部の幅方向長さは６００ｍｍ以上、１２００ｍｍ以下であることである。
【考案の効果】
【００１６】
請求項１に係る園芸用トンネル支柱においては、半円状の屋根部と、屋根部の両端から垂下する横架材取付部と、屋根部の両端を連結して補強する連結補強部と、屋根部の中央から連結補強部を貫通して鉛直下方に伸びる支柱部とを備えている。そして、屋根部の中央部、横架材取付部に設けられた横架材取付孔に横架材を取り付けることにより、複数の園芸用トンネル支柱を並列に連結することができる。この園芸用トンネル支柱では、連結補強部が屋根部の両端を連結しているため、園芸用トンネル支柱に平行方向の力に対して強力になっている。また、横架材取付孔を利用して横架材を取り付けることにより、複数の園芸用トンネル支柱が並列に連結され、園芸用トンネル支柱に直角方向の力に対して強力になる。なお、横架材取付孔を利用してビス、針金等を用いれば、横架材を容易に取り付けることができる。
【００１７】
また、横架材に被覆資材を取り付けることができるため、被覆資材の取り付け、取り外しが容易であるだけでなく、被覆資材の弛みが少なくなる。さらには、この園芸用トンネル支柱は、屋根部の中央から連結補強部を貫通して鉛直下方に伸びる支柱部により支えられるため、従来の園芸用トンネル支柱における脚部に相当する部分が存在しない。そのため、広い作業スペースが確保され、作物の栽培がし易くなっている。したがって、請求項１に係る園芸用トンネル支柱によれば、堅牢で、園芸用資材の取り付けが容易な上、作物の栽培がし易い。なお、「被覆資材」とは、ビニールシート、プラスチックシート、不織布、寒冷紗、網目状シート等をいう。また、「園芸用資材」には、被覆資材の他、横架材等も含まれる。さらに、「横架材」には、角材のみならず、鋼管に樹脂コーティングした園芸支柱等も含まれる。
【００１８】
請求項２に係る園芸用トンネル支柱においては、連結補強部の中央部には、隣接する連結補強部を並列して接続する横架材を取り付け可能な横架材取付孔が設けられている。そのため、この横架材取付孔を利用して横架材を取り付け、隣接する連結補強部を並列して接続することにより、さらに堅牢にすることができる。また、取り付けた横架材に園芸ネット等の園芸用資材を取り付けることもできる。
【００１９】
請求項３に係る園芸用トンネル支柱においては、屋根部、横架材取付部、及び連結補強部が板状であるため、横架材取付孔をあけ易い上、横架材の取り付けが容易である。また、支柱部が凹凸の表面を有する棒状であるため、畝に差し込み易く、園芸用資材の取り付けにも便利である。なお、支柱部は中空であっても、中実であってもよい。
【００２０】
請求項４に係る園芸用トンネル支柱においては、横架材取付部は、屋根部の両端から垂下し、横架材取付孔が設けられた垂下部であるため、構成が単純であり、安価に作成することができる。
【００２１】
請求項５に係る園芸用トンネル支柱においては、横架材取付部は、屋根部の両端から垂下し、横架材取付孔が設けられた垂下部と、垂下部の一端から支柱部方向に突設され、横架材が載置される載置部と、からなっている。そのため、横架材取付孔を利用して横架材を取り付けるに際し、載置部に横架材を載置でき、作業が容易になる。
【００２２】
請求項６に係る園芸用トンネル支柱においては、横架材取付部は、屋根部の両端から垂下し、横架材取付孔が設けられた垂下部と、垂下部の一端から支柱部方向に突設され、横架材が載置される載置部と、載置部の一端から垂下部と平行に上方に突設され、垂下部とともに横架材を挟持する挟持部と、からなっている。そのため、横架材取付孔を利用して横架材を取り付けるに際し、垂下部と挟持部との間に横架材を挟みつつ載置部に横架材を載置でき、これによっても作業が容易になる。
【００２３】
請求項７に係る園芸用トンネル支柱においては、屋根部と支柱部とが着脱可能であるため、保管時や運搬時には屋根部と支柱部とを取り外すことができ、省スペース化を図ることができる。
【００２４】
請求項８に係る園芸用トンネル支柱においては、屋根部、横架材取付部、及び連結補強部が鋼製であるため、強度を確保することができる。また、横架材が木製であるため、タッカーを用いることができ、園芸用資材の取り付け、取り外しが容易である。そして、屋根部の幅方向長さは６００ｍｍ以上、１２００ｍｍ以下であるため、畝の幅に合わせることができ、最も効果を発揮させることができる。
【図面の簡単な説明】
【００２５】
【図１】実施形態の園芸用トンネル支柱の正面図。
【図２】実施形態の園芸用トンネル支柱の斜視図。
【図３】実施形態の園芸用トンネル支柱を用いた園芸用トンネルの斜視図。
【図４】実施形態の園芸用トンネル支柱を用いた園芸用トンネルの斜視図。
【図５】実施形態の別の園芸用トンネル支柱の正面図。
【図６】従来の園芸用トンネル支柱を用いた園芸用トンネルの斜視図。
【考案を実施するための形態】
【００２６】
本考案に係る園芸用トンネル支柱を園芸用トンネルに具体化した実施形態を図面に基づいて以下に説明する。図１、２は、この園芸用トンネル支柱１の正面図、及び斜視図である。図３は、３本の園芸用トンネル支柱１を畝９５に沿って並列に設けた園芸用トンネルの斜視図である。なお、この園芸用トンネル支柱１では、畝９５の長さ等により本数を増減可能であり、融通性に富んでいる。
【００２７】
図１、２に示すように、園芸用トンネル支柱１は、半円状の屋根部５と、屋根部５の両端５ｂ、５ｃから垂下する横架材取付部１０と、屋根部５の両端５ｂ、５ｃを連結して補強する連結補強部２０と、屋根部５の中央５ａから連結補強部２０を貫通して鉛直下方に伸びる支柱部２５と、を備えている。屋根部５、横架材取付部１０、及び連結補強部２０は鋼板であり、支柱部２５は凹凸の表面を有する、いわゆる異形棒鋼である。また屋根部５と連結補強部２０とは、溶接により固着されている。さらに、屋根部５の中央５ａには、雌ねじが形成された長ナット７が溶接により固着され、支柱部２５の先端２５ａには、長ナット７の雌ねじと螺合する雄ネジが形成されている。そして、連結補強部２０の中央には、支柱部２５が貫通する貫通孔２２が設けられている。この貫通孔２２に支柱部２５を貫通させ、長ナット７の雌ねじと支柱部２５の先端２５ａの雄ネジを螺合させることにより、屋根部５と支柱部２５とを固着させることができる。なお、支柱部２５はパイプ状であってもよい。
【００２８】
横架材取付部１０は、屋根部５の両端５ｂ、５ｃから垂下し、横架材取付孔１０ｄが設けられた垂下部１０ａと、垂下部１０ａの一端から支柱部２５方向に突設され、後述する横架材としての角材３０（図３参照）が載置される載置部１０ｂと、載置部１０ｂの一端から垂下部１０ａと平行に上方に突設され、垂下部１０ａとともに角材３０を挟持する挟持部１０ｃとからなっている。また、載置部１０ｂ、挟持部１０ｃにも横架材取付孔１０ｅ、１０ｆが設けられている。角材３０は、横架材取付孔１０ｄ、１０ｅ、１０ｆを利用してビスにより取り付けられる。また、屋根部５の中央部、連結補強部２０の中央部には、横架材としての角材３１、３２（図３、図４参照）が取り付けられる横架材取付孔６、２１が設けられている。これら横架材取付孔１０ｄ、１０ｅ、１０ｆ、６、２１に角材３０、３１、３２を取り付けることにより、複数の園芸用トンネル支柱１を並列に連結して園芸用トンネルにすることができる。
【００２９】
以上の構成をした園芸用トンネル支柱１を用いた園芸用トンネルの組み立て方について、図３、図４を用いて説明する。ただし、本実施形態においては、園芸用トンネル支柱１を３本用いることとし、栽培対象作物はトマト等の背の高いもの、又はエンドウ等のツル状のものとする。また、園芸用トンネル支柱１の屋根部５の幅方向長さを７００ｍｍ、支柱部２５の長さを２０００ｍｍにしている。なお、屋根部５の幅方向長さは、畝の幅に合わせられるよう、６００ｍｍ以上、１２００ｍｍ以下にすることが望ましい。また、支柱部２５の長さは、作物の種類により所定の長さにする。
【００３０】
図３に示すように、３本の園芸用トンネル支柱１を畝９５に沿って等間隔、かつ並列に配置する。そして、支柱部２５を畝９５の中央に３００ｍｍ程度差し込み、園芸用トンネル支柱１全体を垂直に立て、３本の園芸用トンネル支柱１の高さを一致させる。次に、右側と左側の各々について、３つの横架材取付部１０の垂下部１０ａと挟持部１０ｃとの間に角材３０を挟みつつ載置部１０ｂに角材３０を載せ、横架材取付孔１０ｄ、１０ｅ、１０ｆを用いて角材３０を垂下部１０ａにビス留めする。これにより、２本の角材３０が左右の横架材取付部１０に平行に取り付けられ、３本の園芸用トンネル支柱１が並列に連結される。同様に、屋根部５についても、３つの横架材取付孔６を用いて角材３１を屋根部５の中央部にビス留めする。これにより、３本の角材３０、３１が平行に取り付けられる。なお、本実施形態においては、角材３１は１本だけ示してあるが、複数本であってもよい。これら角材３０、３１に被覆材を覆うと、園芸用トンネル上部の被覆材をアーチ状に保持し易くすることができる上、被覆材の弛みを少なくすることができる。さらに、タッカーを用いて被覆材を角材３０、３１へ容易に取り付けることができるのみならず、被覆材で園芸用トンネルの上部だけを覆うことも、全体を覆うこともできる。図３においては、被覆材としてのビニールシート３６を園芸用トンネルの上部だけに覆っている。
【００３１】
また、２本の角材３０の中央部より垂直下方に角材３５を取り付ければ、園芸用トンネル全体がより堅牢になる。さらに、鋼管に樹脂コーティングした園芸支柱３７を支柱部２５に水平に取り付け、作物の枝の固定や誘引に使用することができる。この園芸用トンネルでは、上部、又は全体に被覆資材を覆い、３本の角材３０、３１にタッカーを用いて被覆資材を簡単に固定することができる。
【００３２】
図４に示すように、連結補強部２０の横架材取付孔２１に横架材としての角材３２を取り付けることもできる。これにより、園芸用トンネル全体がさらに堅牢になる。また、被覆材としての園芸ネット３８を角材３２、角材３１、角材３０を覆って張ることができ、エンドウ、キウリ等のツルを這わすことができる。
【００３３】
実施形態に係る園芸用トンネル支柱１においては、半円状の屋根部５と、屋根部５の両端５ｂ、５ｃから垂下する横架材取付部１０と、屋根部５の両端５ｂ、５ｃを連結して補強する連結補強部２０と、屋根部５の中央５ａから連結補強部２０を貫通して鉛直下方に伸びる支柱部２５とを備えている。そして、屋根部５の中央部、横架材取付部１０に設けられた横架材取付孔６、１０ｄ、１０ｅ、１０ｆに角材３０、３１を取り付けることにより、複数の園芸用トンネル支柱１を並列に連結することができる。この園芸用トンネル支柱１では、連結補強部２０が屋根部５の両端５ｂ、５ｃを連結しているため、園芸用トンネル支柱１に平行方向の力に対して強力になっている。また、横架材取付孔６、１０ｄ、１０ｅ、１０ｆを利用して角材３０、３１を取り付けることにより、複数の園芸用トンネル支柱１が並列に連結され、園芸用トンネル支柱１に直角方向の力に対して強力になる。
【００３４】
さらに、角材３０、３１に被覆資材を取り付けることができるため、被覆資材の取り付け、取り外しが容易であるだけでなく、被覆資材の弛みが少なくなる。さらには、この園芸用トンネル支柱１は、屋根部５の中央５ａから連結補強部２０を貫通して鉛直下方に伸びる支柱部２５により支えられるため、従来の園芸用トンネル支柱における脚部に相当する部分が存在しない。そのため、広い作業スペースが確保され、作物の栽培がし易くなっている。したがって、この園芸用トンネル支柱１によれば、堅牢で、園芸用資材の取り付けが容易な上、作物の栽培がし易い。
【００３５】
また、この園芸用トンネル支柱１においては、連結補強部２０の中央部には、隣接する連結補強部２０を並列して接続する角材３２を取り付け可能な横架材取付孔２１が設けられている。そのため、この横架材取付孔２１を利用して角材３２を取り付け、隣接する連結補強部２０を並列して接続することにより、さらに堅牢にすることができる。また、取り付けた角材３２に園芸ネット３８等の園芸用資材を取り付けることもできる。
【００３６】
さらに、この園芸用トンネル支柱１においては、屋根部５、横架材取付部１０、及び連結補強部２０が板状であるため、横架材取付孔６、１０ｄ、１０ｅ、１０ｆ、２１をあけ易い上、角材３０、３１、３２の取り付けが容易である。また、支柱部２５が凹凸の表面を有する棒状であるため、畝に差し込み易く、園芸用資材の取り付けにも便利である。
【００３７】
また、この園芸用トンネル支柱１においては、横架材取付孔１０ｄ、１０ｅ、１０ｆを利用して角材３０を取り付けるに際し、垂下部１０ａと挟持部１０ｃとの間に角材３０を挟みつつ載置部１０ｂに角材３０を載置でき、作業が容易になる。
【００３８】
さらに、この園芸用トンネル支柱１においては、長ナット７の雌ねじと支柱部２５の先端２５ａの雄ネジにより、屋根部５と支柱部２５とが着脱可能であるため、保管時や運搬時には屋根部５と支柱部２５とを取り外すことができ、省スペースを図ることができる。
【００３９】
また、この園芸用トンネル支柱１においては、屋根部５、横架材取付部１０、及び連結補強部２０が鋼製であるため、強度を確保することができる。また、横架材が角材３０、３１、３２であるため、タッカーを用いることができ、園芸用資材の取り付け、取り外しが容易である。そして、屋根部５の幅方向長さは７００ｍｍであり、６００ｍｍ以上、１２００ｍｍ以下であるため、畝の幅に合わせることができ、最も効果を発揮させることができる。
【００４０】
さらに、この園芸用トンネル支柱１の替わりに、図５（１）、（２）に示す園芸用トンネル支柱２、３を用いることができる。園芸用トンネル支柱２、３は、園芸用トンネル支柱１の横架材取付部１０が横架材取付部１１、１２になっている以外は、園芸用トンネル支柱１と同一の構成になっている。したがって、以下の園芸用トンネル支柱２、３の説明においては、園芸用トンネル支柱１と同一の構成については同一の符号を用いることとし、その説明を省略する。
【００４１】
図５（１）に示す園芸用トンネル支柱２では、横架材取付部１１は、屋根部５の両端５ｂ、５ｃから垂下する垂下部１１ａと、垂下部１１ａの一端から支柱部２５方向に突設される載置部１１ｂとからなっている。そして、垂下部１１ａには角材３０が取り付けられる横架材取付孔１１ｃが設けられている。そのため、横架材取付孔１１ｃを利用して角材３０を取り付けるに際し、載置部１１ｂに角材３０を載置でき、作業が容易になる。
【００４２】
図５（２）に示す園芸用トンネル支柱３では、横架材取付部１２は、屋根部５の両端５ｂ、５ｃから垂下し、横架材取付孔１２ａが設けられた垂下部であるため、構成が単純であり、安価に作成することができる。
【００４３】
なお、本実施形態においては、長ナット７の雌ねじと支柱部２５の先端２５ａの雄ネジを螺合させることにより、屋根部５と支柱部２５とを固着させているが、屋根部５の中央５ａと支柱部２５の先端２５ａとを直接溶接して固着させることもできる。さらには、屋根部５の中央５ａに取付穴を設け、この取付穴に支柱部２５の先端２５ａを嵌入して、屋根部５と支柱部２５とを取り付けることもできる。
【００４４】
以上、本考案の園芸用トンネル支柱を実施形態に即して説明したが、本考案はこれらに制限されるものではなく、本考案の技術的思想に反しない限り、適宜変更して適用できることはいうまでもない。
【符号の説明】
【００４５】
１、２、３…園芸用トンネル支柱、５…屋根部、５ａ…中央、５ｂ、５ｃ…両端、１０、１１、１２…横架材取付部（１２…垂下部）、１０ａ、１１ａ…垂下部、１０ｂ、１１ｂ…載置部、１０ｄ、１０ｅ、１０ｆ、１１ｃ、１２ａ、６、２１…横架材取付孔、１１ｃ…挟持部、２０…連結補強部、２５…支柱部、３０、３１、３２…横架材（角材）。
【図１】
0003215966.tif 000003
【図２】
0003215966.tif 000004
【図３】
0003215966.tif 000005
【図４】
0003215966.tif 000006
【図５】
0003215966.tif 000007
【図６】
0003215966.tif 000008